【手続補正書】
【提出日】平成30年3月29日(2018.3.29)
【手続補正１】
【補正対象書類名】特許請求の範囲
【補正対象項目名】全文
【補正方法】変更
【補正の内容】
【特許請求の範囲】
【請求項１】
いくつかのノード(Tx1)に接続されたネットワーク内で放出されるデータフレームを受信する方法であって、アドレス(ADD32)および秘密(SSk)は、それぞれ各ノードに割り当てられ、前記方法は、
-  前記フレームから符号化されたデータおよびフレームハッシュコードを抽出するステップと、
-  前記ノードに関するそれぞれのエントリを有するデータベースに問い合わせるステップであって、ノードに関する前記エントリは、前記ノードに割り当てられた前記アドレスおよび前記秘密を含む情報を含む、問い合わせるステップと、
-  少なくとも1つのデータベースエントリについて、
・  前記フレームから抽出された符号化されたデータおよび前記エントリ内に含まれる前記秘密を含む要素から少なくとも1つのハッシュコードを計算するステップと、
・  前記計算されたハッシュコードを前記フレームから抽出された前記フレームハッシュコードと比較するステップと、
・  前記比較されたハッシュコードが一致する場合に、前記エントリを選択するステップと、
-  前記フレームを処理するステップであって、前記処理は、前記フレームがそこから来る前記ノードに割り当てられた前記アドレスであるものとしての前記選択されたエントリ内に含まれる前記アドレスの識別と、前記選択されたエントリ内に含まれる前記秘密を使用することによる前記フレームから抽出された前記符号化されたデータの復号とを含む、処理するステップと
を含むことを特徴とする、方法。
【請求項２】
不完全なアドレスデータ(ADD16)も、前記フレームから抽出され、前記ハッシュコードを計算するステップおよび前記ハッシュコードを比較するステップは、前記抽出された不完全なアドレスデータに対応するアドレスを含むデータベースエントリに関して実行される、請求項1に記載の方法。
【請求項３】
データベースエントリに関して前記ハッシュコードを計算するステップに関する前記要素は、前記エントリ内に含まれる前記アドレスの少なくとも1つの部分をも含む、請求項2に記載の方法。
【請求項４】
ノードに関する前記データベースエントリ内に含まれる前記情報は、受信され、前記エントリ内に含まれる前記アドレスを識別することによって処理されたフレームの少なくとも1つのシーケンス番号のポインタ情報(P)をも含み、
前記エントリに関する少なくとも1つのハッシュコードがそれから計算される前記要素は、前記エントリ内に含まれるポインタ情報に従って決定される整数をも含む、請求項1から3のいずれか一項に記載の方法。
【請求項５】
前記フレームの処理は、前記識別されたアドレスから放出されたフレームのシーケンスの中からの前記フレームのシーケンス番号の判定と、前記フレームの判定されたシーケンス番号に従う前記選択されたエントリ内に含まれるポインタ情報の更新とをも含む、請求項4に記載の方法。
【請求項６】
前記ハッシュコードを計算するステップおよび前記ハッシュコードを比較するステップは、少なくとも1つのデータベースエントリについて、前記エントリ内に含まれるポインタ情報によって識別される間隔内で選択されたそれぞれの整数を用いて、数回実行され、データベースエントリが選択された後に、前記フレームのシーケンス番号の判定は、前記比較されたハッシュコードがそれに関して一致する前記整数の識別を含む、請求項5に記載の方法。
【請求項７】
電力レベルおよび/または前記フレームのタイムスタンプ情報の評価をも含み、前記フレームの処理は、そのアドレスが識別された前記ノードに関する前記エントリ内での、評価された前記電力レベルおよび/または前記タイムスタンプ情報に従う電力情報の更新をも含む、請求項1から6のいずれか一項に記載の方法。
【請求項８】
-  そのアドレスが識別された前記ノードに、少なくとも1つの送信パラメータを適合させるメッセージを送信するステップであって、前記適合メッセージは、前記ノードに関する前記エントリ内に含まれる情報に従って生成される、送信するステップをも含む、請求項1から7のいずれか一項に記載の方法。
【請求項９】
ノード(Tx1)によってデータフレームを送信する方法であって、アドレス(ADD32)および秘密(SS)は、前記ノードに割り当てられ、前記方法は、
-  前記ノードに割り当てられた前記秘密によってデータを符号化するステップと、
-  前記符号化されたデータおよび前記ノードに割り当てられた前記秘密を含む要素からハッシュコードを生成するステップと、
-  前記符号化されたデータおよび前記生成されたハッシュコードを前記送信されるフレーム内に含めるステップと
を含む、方法。
【請求項１０】
-  不完全なアドレスデータを形成するために、前記ノードに割り当てられた前記アドレスを切り捨てるステップと、
-  前記不完全なアドレスデータを前記送信されるフレーム内に含めるステップと
をも含む、請求項9に記載の方法。
【請求項１１】
前記ハッシュコードがそれから計算される前記要素は、前記送信されるフレームのシーケンス番号をも含み、前記送信されるフレームの前記シーケンス番号は、前記送信されるフレームから除外される、請求項9または10に記載の方法。
【請求項１２】
前記フレームの送信に続いて、
-  所定の持続時間の間、前記ノードを肯定応答メッセージの受信のためのスタンバイモードに入れるステップをも含む、請求項9または10に記載の方法。
【請求項１３】
命令がプロセッサによって実行される時に、請求項1から12のいずれか一項に記載の方法を実施するための前記命令を含むコンピュータプログラム。
【請求項１４】
いくつかのノード(Tx1)と通信する処理ユニット(36)であって、
-  ネットワークの前記ノードに関するそれぞれのエントリを有するデータベース(DB3)とのインターフェースであって、ノードに関する前記エントリは、前記ノードに割り当てられたアドレス(ADD32)および秘密(SS)を含む情報を含む、インターフェースと、
-  データフレームを受信し、それから符号化されたデータおよびフレームハッシュコードを抽出するための抽出ユニットと、
-  前記データベースからの少なくとも1つのエントリについて、
・  前記受信されたフレームから抽出された符号化されたデータおよび前記エントリからの前記情報内に含まれる前記秘密を含む要素から少なくとも1つのハッシュコードを計算することと、
・  前記計算されたハッシュコードを前記受信されたフレームから抽出された前記フレームハッシュコードと比較することと、
・  前記比較されたハッシュコードが一致する場合に、前記エントリを選択することと
を実行するように配置されたコードベリファイヤと、
-  前記受信されたフレームがそこから来る前記ノードに割り当てられた前記アドレスであるものとして前記選択されたエントリ内に含まれる前記アドレスを識別することと、前記選択されたエントリ内に含まれる前記秘密を使用することによって前記受信されたフレームから抽出された前記符号化されたデータを復号することとを含む処理を実行するために受信された前記フレームを復号するためのユニットと
を含む、処理ユニット。
【請求項１５】
いくつかのノード(Tx1)と通信するためのシステム(Rx1)であって、
-  前記ノードから信号を受信するための複数のアンテナであって、前記信号は、データフレームを含む、複数のアンテナと、
-  データフレームを処理するための、請求項14に記載の処理ユニットと
を含むシステム。
【請求項１６】
遠隔通信ネットワークを介して通信するためのノード(Tx1)であって、アドレス(ADD32)は、前記ノードに割り当てられ、秘密(SS)も、前記ノードに割り当てられ、前記ノードは、
-  前記ノードに割り当てられた前記秘密によってデータを符号化するためのユニットと、
-  ハッシュコードジェネレータであって、ハッシュコードは、前記符号化されたデータおよび前記ノードに割り当てられた前記秘密を含む要素から生成される、ハッシュコードジェネレータと、
-  放出されるフレームのジェネレータであって、前記フレームは、前記符号化されたデータおよび前記生成されたハッシュコードを含む、ジェネレータと
を含むノード。
【請求項１７】
前記フレームは、前記ノードに割り当てられた前記アドレス(ADD32)を切り捨てることによって入手される不完全なアドレスデータ(ADD16)をも含む、請求項16に記載のノード。